(57)【要約】【課題】拡開完了状態にて中骨を十分に反り上がらせて布地の張りを確実にする。【解決手段】外骨２３の基端と連結杆２５の中途部とに連結されて骨組み５の拡開に伴って外骨２３の基端を連結杆２５の中途部に向けて牽引する牽引部材２６を備え、中骨２２の先端と外骨２３の中途部との間には、拡開中に牽引部材２６の牽引に伴う外骨２２の相対回転及び相対移動を許容すると共に、拡開完了状態にて牽引部材２６による外骨２２の中途部の牽引方向を中骨２２の長手方向に沿わせつつ該中骨２２の基端に向ける枢支手段３０が設けられている。【選択図】図１
2006239028.tif 000002
【特許請求の範囲】
【請求項１】
上ろくろと下ろくろとを配備した中軸を備え、該上ろくろと下ろくろに亘って多数の骨組みが枢支され、該多数の骨組みが下ろくろの摺動に伴って放射状に開閉する折畳み傘であって、各骨組みは、
前記上ろくろに支骨の基端が枢支され、該支骨の先端が内骨の中途部に枢支され、該内骨は、基端が前記下ろくろに枢支されると共に先端が中骨の中途部に枢支され、該中骨の先端が外骨の中途部に枢支され、中骨の基端と支骨の中途部とが連結杆を介して連結された構成を有すると共に、
前記外骨の基端と連結杆の中途部とに連結されて前記骨組みの拡開に伴って外骨の基端を連結杆の中途部に向けて牽引する牽引部材を備えており、
前記中骨の先端と外骨の中途部との間には、拡開中に牽引部材の牽引に伴う外骨の相対回転及び相対移動を許容すると共に、拡開完了状態にて牽引部材による外骨の中途部の牽引方向を中骨の長手方向に沿わせつつ該中骨の基端に向ける枢支手段が設けられていることを特徴とする折畳み傘。
【請求項２】
前記枢支手段は、外骨と中骨の何れか一方の骨部材に配備されて外骨を中骨に枢支する枢軸と、該枢軸を設けた骨部材とは異なる骨部材に配備されて枢軸を軸支する軸孔とを備え、該軸孔は、前記牽引部材と外骨との連結端から伸びる直線上に延設された長孔状に形成されると共に、前記異なる骨部材の軸心方向に平行若しくは略平行に形成されていることを特徴とする請求項１に記載の折畳み傘。
【請求項３】
前記軸孔は、前記外骨を形成する外骨材の基端部に配備された関節具に設けられており、骨組みを拡開していくときに前記枢軸を係止し且つ拡開完了前に係止を解消する係止部を備えていることを特徴とする請求項２に記載の折畳み傘。
【請求項４】
前記中骨の中骨材の先端に、前記枢軸と、拡開完了状態にて牽引部材を係止する係止溝と、拡開完了状態にて外骨が拡開中に回転する方向へ続けて回転することを規制するストッパとを備えた枢支部材がインサート成形によって設けられていることを特徴とする請求項２又は請求項３に記載の折畳み傘。
【発明の詳細な説明】
【技術分野】
【０００１】
本発明は、折畳み傘に関する。
【背景技術】
【０００２】
従来、折畳み傘の各骨組みにおいては、基端が下ろくろに枢支された内骨と、該内骨の先端に中途部が枢支された中骨と、該中骨の先端に中途部が枢支された外骨と、基端が上ろくろに枢支されると共に先端が内骨の中途部に枢支された支骨と、基端が支骨の中途部に枢支されると共に先端が中骨の内端に枢支された連結杆と、基端が内骨の中途部に枢支されると共に先端が外骨の基端に枢支された牽引部材とを備えてたものが知られている。
かかる折畳み傘においては、骨組みの拡開時に、布地に作用する引張力や骨組みの変形等によって使用者の拡開動作を妨げる抗力が生じ、これによって傘を拡開し難い問題がある。
【０００３】
そこで、該抗力を低減させるべく、中骨の先端と外骨の中途部との間に、骨組みの拡開に伴って外骨を中骨に対して相対移動させるスライド機構を配備した折畳み傘が提案されている（特許文献１参照）。
【特許文献１】実用登録新案第３０６６３７４号
【発明の開示】
【発明が解決しようとする課題】
【０００４】
しかしながら、前記スライド機構は、中骨の先端に配備された枢軸と、外骨の中途部に形成されて該枢軸の移動を案内する軸孔とを備えているいるものの、該軸孔は、外骨の基端を牽引部材に連結する連結端から伸びる直線上に配備されておらず、該直線からずれた方向に延設されているため、骨組みの拡開完了状態にて枢軸と連結端とを結ぶ直線が略直線状に拡開した外骨と中骨の軸心方向に対して大きくずれることとなり、これによって、拡開完了状態にて牽引部材に導入される牽引力を中骨を圧縮する圧縮力として十分に作用させることができず、これによって中骨を反り上がらせて布地を十分に張らせ難い問題があった。
【０００５】
また、外骨を引張る牽引部材が内骨の中途部に連結されているため、拡開完了状態の牽引部材に十分な牽引力を付与し難く、これによっても中骨を反り上がらせ難い問題がある。
そこで、本発明は、拡開完了状態にて中骨を十分に反り上がらせて布地の張りを確実にすることができる折畳み傘を提供することを目的とする。
【課題を解決するための手段】
【０００６】
本発明における課題解決のための具体的手段は、次の通りである。
第１に、上ろくろと下ろくろとを配備した中軸を備え、該上ろくろと下ろくろに亘って多数の骨組みが枢支され、該多数の骨組みが下ろくろの摺動に伴って放射状に開閉する折畳み傘であって、各骨組みは、
前記上ろくろに支骨の基端が枢支され、該支骨の先端が内骨の中途部に枢支され、該内骨は、基端が前記下ろくろに枢支されると共に先端が中骨の中途部に枢支され、該中骨の先端が外骨の中途部に枢支され、中骨の基端と支骨の中途部とが連結杆を介して連結された構成を有すると共に、
前記外骨の基端と連結杆の中途部とに連結されて前記骨組みの拡開に伴って外骨の基端を連結杆の中途部に向けて牽引する牽引部材を備えており、
前記中骨の先端と外骨の中途部との間には、拡開中に牽引部材の牽引に伴う外骨の相対回転及び相対移動を許容すると共に、拡開完了状態にて牽引部材による外骨の中途部の牽引方向を中骨の長手方向に沿わせつつ該中骨の基端に向ける枢支手段が設けられている点である。
【０００７】
これによれば、外骨が上記枢支手段を介して中骨に枢支されていることにより、骨組みの拡開に伴って外骨が中骨に対して相対回転及び相対移動するため、拡開動作に伴って各骨部材に作用する外力は該外骨の相対移動によって吸収されることとなり、これによって傘の拡開を抗力なくスムーズに行うことができる。
また、拡開完了状態にて外骨の基端に作用する牽引部材による牽引力は、枢支手段を介して中骨の先端に該中骨を圧縮する圧縮力として作用することとなるが、このとき、牽引部材による外骨の中途部の牽引方向が中骨の長手方向に沿わせつつ該中骨の基端に向けられているため、該圧縮力が中骨の基端に向けて作用することとなる。これによって拡開完了状態の中骨の両端には、前記牽引力によって軸方向に十分な圧縮力を付与されることとなる。
【０００８】
また、牽引部材の他方の端部は、中骨に対する開き角度が内骨より大きな連結杆の中途部に連結されているため、牽引部材には、内骨の中途部に連結された場合よりもより大きな牽引力が導入されることとなる。
これらによって、中骨を牽引部材から離間する方向に反らせることができるのである。
第２に、前記枢支手段は、外骨と中骨の何れか一方の骨部材に配備されて外骨を中骨に枢支する枢軸と、該枢軸を設けた骨部材とは異なる骨部材に配備されて枢軸を軸支する軸孔とを備え、該軸孔は、前記牽引部材と外骨との連結端から伸びる直線上に延設された長孔状に形成されると共に、前記異なる骨部材の軸心方向に平行若しくは略平行に形成されている点である。
【０００９】
これによれば、骨組みの拡開に伴って枢軸が軸孔内を移動することにより、外骨が中骨に対してスムーズに相対回転及び相対移動することとなる。
また、該軸孔は、牽引部材と外骨との連結端から伸びる直線上に延設された長孔状に形成されると共に、前記異なる骨部材の軸心方向に平行若しくは略平行に形成されているため、拡開完了状態にて中骨と外骨とは略直線状となると共に連結端と枢軸を結ぶ直線の伸長方向が外骨の長手方向と一致若しくは略一致する。
したがって、拡開完了状態においては、外骨の基端が牽引部材に牽引されることによって、中骨の基端に生じる中骨を圧縮する圧縮力を該中骨の両端を結ぶ直線上に作用させることができるのである。
【００１０】
第３に、前記軸孔は、前記外骨を形成する外骨材の基端部に配備された関節具に設けられており、骨組みを拡開していくときに前記枢軸を係止し且つ拡開完了前に係止を解消する係止部を備えている点である。
これによれば、前記連結端と軸孔とが共に外骨に配備されるため、連結端に対する軸孔に位置を容易に調整することができる。
また、骨組みの拡開時に枢軸が軸孔の係止部に係止されることにより、外骨は中骨に対して相対移動することなく相対回転することができる。したがって、枢軸が軸孔の係止部に係止された状態にあっては、外骨を牽引する牽引部材の牽引力を該外骨を回転させるモーメントとして作用させることができ、これによってスムーズ且つ早期に外骨を開くことができる。
【００１１】
第４に、前記中骨の中骨材の先端に、前記枢軸と、拡開完了状態にて牽引部材を係止する係止溝と、拡開完了状態にて外骨が拡開中に回転する方向へ続けて回転することを規制するストッパとを備えた枢支部材がインサート成形によって設けられている点である。
これによれば、拡開完了状態の牽引部材は受け部材の係止溝に係止されるため、拡開完了状態にて牽引部材が外骨の基端や枢軸に対してずれることはなく、牽引部材の姿勢を一定に保つことができる。
また、外骨は、拡開完了状態にて牽引部材によって牽引されると共にストッパに当接することにより、中骨の長手方向に沿って伸びた姿勢からさらに回転することはなく、これによっても牽引部材の姿勢を一定に保つことができる。
【００１２】
さらに、枢支部材が中骨の中骨材にインサート成形されており、これによって、骨組みの組立性及び耐久性が向上が図られる。
【発明の効果】
【００１３】
本発明の折畳み傘によれば、拡開完了状態にて中骨を十分に反り上がらせて布地の張りを確実にすることができる。
【発明を実施するための最良の形態】
【００１４】
以下、本発明に実施した形態につき、図面に沿って具体的に説明する。
本発明に係る折畳み傘１においては、図２に示す如く、中軸２と、該中軸２に配備された上ろくろ３及び下ろくろ４と、該下ろくろ４と上ろくろ３とに枢支された多数組（本実施の形態においては６組）の骨組み５と、該多数組の骨組み５と一体に開閉する布地６とを備えている。
中軸２は、複数の円筒部材を入れ子状に嵌合したものであって、その軸方向に伸縮自在に構成されており、最上円筒部材の先端に石突き１０が配備されると共に最下円筒部材の基端に手元部１１が配備されている。また、該石突き１０の下方に上ろくろ３が取り付けられており、下ろくろ４は、上ろくろ３に近接離間自在となるべく中軸２の最上円筒部材に外嵌されている。
【００１５】
また、中軸２の上ろくろ３の近傍には、前記骨組み５を拡開完了状態とした場合に下ろくろ４を係止するハジキ１２が設けられている。該ハジキ１２は、中軸２の内部に配備された弾性部材（図示省略）によって中軸２の軸心から離間する方向に付勢されている。
前記骨組み５は、下ろくろ４の摺動に伴い中軸２の軸心に対して放射状に開閉するものであって、各骨組み５は、一対の端部を有する複数本（本実施の形態においては６本）の軸状の骨部材を組み合わせて構成されている。
なお、本実施の形態においては、各骨部材の一対の端部の内、図１に示す如く骨組み５の拡開を完了させた状態（拡開完了状態）にて中軸側に位置する端部を基端と称し、該基端よりも中軸２に対して外方に位置する端部を先端と称することとする。
【００１６】
図２に示す如く、骨組み５は、基端が下ろくろ４に枢支された内骨２１と、該内骨２１の先端に中途部が枢支された中骨２２と、該中骨２２の先端に中途部が枢支された外骨２３と、基端が上ろくろ３に枢支されると共に先端が内骨２１の中途部に枢支された支骨２４と、基端が支骨２４の中途部に連結（枢支）されると共に先端が中骨２２の基端に連結（枢支）された連結杆２５と備えている。
また、外骨２３の基端と連結杆２５の中途部には、該外骨２３の基端を連結杆２５の中途部に向けて牽引する牽引部材２６が配備され、該牽引部材２６の一方の端部が外骨２３の基端に連結（枢支）されると共に、他方の端部が連結杆２５の中途部に連結（枢支）されている。
【００１７】
内骨２１、中骨２２及び外骨２３の骨部材は、その両端を圧縮する方向に作用する圧縮力に対して弾性変形を許容する樹脂やカーボンファイバー等の弾性素材によって形成された骨材を備え、該骨材の所定の位置に他の骨部材を枢支すべき枢支部がインサート成形によって配備されている。
内骨２１は、内骨材２１ａの基端に内枢支部２１ｂを備えると共に先端に外枢支部２１ｃを備え、さらに、内骨材２１ａの両端の略中間となる位置に支骨２４を枢支する中枢支部２１ｄを備えている。
【００１８】
中骨２２は、中骨材２２ａの基端に内骨２１の外枢支部２１ａ及び連結杆２５の先端を枢支する内枢支部２２ｂを備えると共に先端に外骨２３の中途部及び牽引部材２６の一方の端部を枢支する枢支部となる枢支部材２２ｃを備えている。また、中骨材２２ａの中途部には、前記牽引部材２６を挿通する挿通部２２ｄが設けられている。
また、外骨２３は、外骨材２３ａの基端に、中骨２２の枢支部材２２ｃに枢支されると共に連結杆２５の先端を枢支する枢支部となる関節具２３ｂを備えている。
また、図３に示す如く、中骨２２の先端と外骨２３の中途部の間には、枢支手段３０が設けられている。該枢支手段３０は、拡開中に牽引部材２６の牽引に伴う外骨２３の相対回転及び相対移動を許容すると共に、拡開完了状態にて牽引部材２６による外骨２３の中途部の牽引方向を中骨２２の長手方向に沿わせつつ該中骨２２の基端に向けるものであって、外骨２３と中骨２２の何れか一方の骨部材に配備されて外骨２３を中骨２２に枢支する枢軸３１と、該枢軸３１を設けた骨部材とは異なる骨部材に配備されて枢軸３１を軸支する軸孔３２とを備えている。
【００１９】
なお、本実施の形態においては、中骨２２の枢支部材２２ｃに枢軸３１が配備され、外骨２３の関節具２３ｂに軸孔３２が配備されているが、枢軸３１が外骨２３の関節具２３ｂに配備されると共に軸孔３２が枢支部材２２ｃに配備された構成を採用することも可能である。
また、中骨２２の枢支部材２２ｃは、図６に示す如く、前記関節具２３ｂを枢支可能に形成されており、前記枢軸３１と、中骨材２２ａの先端に嵌合する嵌合部３４と、該嵌合部３４の先端から中骨２２の軸心方向に突設されて前記関節具２３ｂの側部と対向する板状の一対の対向部３５と、該一対の対向部３５の先端を連結する連結部３６とを備えている。
【００２０】
図７に示す如く、前記嵌合部３４には、牽引部材２６との対向面に拡開完了状態にて該牽引部材２６を係止する係止溝３７が中骨材２２ａの軸心方向に沿って延伸されている。
図６及び図８に示す如く、前記一対の対向部３５は、側面視で前記布地６と対向する縁部が凸湾曲状に形成されていると共に、該縁部とは反対側の縁部が僅かに凹湾曲状に形成されている。また、図７及び図９に示す如く、該一対の対向部３５に前記軸孔３２が架け渡されている。
また、図８に示す如く、前記連結部３６は上記凹湾曲状の縁部の先端に形成されて前記中骨材２２ａの軸心から離間する方向に突出しており、拡開完了状態にて外骨２３に当接して該外骨２３がさらに拡開方向へ回転することを規制するストッパを兼ねている。また、図２に示す如く、該連結部３６は閉じ状態にて中軸２の手元部１１に係止可能とされている。
【００２１】
図６に示す如く、前記関節具２３ｂは、金属板をプレス成型して構成されており、外骨材２３ａの基端に嵌合する嵌合部３８と、該基端から外骨２３の軸方向に突出して前記牽引部材２６に連結される連結端３９とを備え、該連結端３９と嵌合部３８の間に前記軸孔３２が穿設されている。
該軸孔３２は、外骨材２３ａに平行で且つ連結端３９を通過する直線上に延設されて枢軸３１の移動を案内する長孔状の案内部４０と、該案内部４０に連接されて骨組み５を拡開していくときに枢軸３１を一旦係止し且つ拡開完了前に該係止を解消する係止部４１とを備えている。本実施の形態においては、該係止部４１は、案内部４０の連結端側の端部にて前記外骨材２３ａの軸心から離間する方向に突設されている。
【００２２】
また、該案内部４０の連結端側の端部には、骨組み５を閉じた状態で枢軸４１を掛止する係止部４２が前記外骨材２３ａの軸心方向に近接する方向に突設されており、これによって、軸孔３２はＴ字状に形成されている。
また、図２に示す布地６は、骨組み５を拡開した状態で平面視多角形状（本実施の形態においては六角形状）となるべく切り出されており、該布地６の中心が中軸２の軸心と一致しており、該中心及びその近傍は上ろくろ３と石突き１０によって挟持されている。また、該布地６は、各頂点が骨組み５の外骨２３の先端に連結されると共に、各頂点と中心とを結ぶ直線上にて複数箇所が骨組み５に連結されている。本実施の形態においては、各骨組み５の中骨２２の枢支部材２２ｃ及び内枢支部２２ｂ、及び支骨２４の先端に布地６が連結されている。
【００２３】
本発明の構成は以上のものからなるものであって、次に骨組み５を拡開する過程について説明する。
図２に２点鎖線で示す如く、傘入れ（図示省略）から取り出した折畳み傘１は、中軸２が収縮状態に設定されると共に骨組み５が閉じ状態に設定されている。このとき、骨組み５の中骨２２の枢支部材２２ｃに形成された連結部３６は中軸２の手元部１１に係止されている。
このとき、図３に示す如く、枢軸３１は軸孔３２の掛止部４２に位置しており、これによって中骨２２の中骨材２２ａと外骨２３の外骨材２３ａとは閉じ状態で略平行となると共に互いに近接した状態で対向することとなる。このため、閉じ状態で中骨２２と外骨２３とがコンパクトに折り畳まれ、ひいては骨組み５全体がコンパクトに折り畳まれているのである。
【００２４】
該折畳み傘１を拡開する場合には、図２に実線で示す如く、先ず、中軸２を伸長させて中骨２２の連結部３６を手元部１１に係止した状態から開放すると共に、布地６及び骨組み５を中軸２に巻き付けた状態で係止している捲装具（図示省略）を解除して骨組み５を拡開可能状態に設定する。このとき、布地６の拡がりに伴って中骨２２と外骨２３は僅かに拡開し、これに伴って、図３に示す如く、枢支手段３０の枢軸３１が軸孔３２の掛止部４２から係止部４１に移動する。
次に、下ろくろ４を上ろくろ３に近接移動させる。これによって、図４に示す如く、骨組み５が閉じ状態から拡開完了状態に向けて拡開していく。
【００２５】
骨組み５の拡開の初期段階においては、枢支手段３０の枢軸３１は軸孔３２の係止部４１に係止された状態に保たれている。この状態で下ろくろ４を上ろくろ３に向けて移動させると、外骨２３の基端は牽引部材２６によって連結杆２５の中途部に向けて牽引されることとなり、これによって外骨２３は中骨２２に対して相対移動することなく相対回転する。
そして、骨組み５の拡開の中期段階にて外骨２３が中骨２２に対して所定の位置まで相対回転すると、枢軸３１が軸孔３２の係止部４１にから外れ、軸孔３２は案内部４０に移動する。この状態でさらに下ろくろ４を上ろくろ３に向けて移動させると、外骨２３は牽引部材２６の牽引力によって中骨２２に対して相対回転すると共に相対移動することとなり、中骨２２に対して外骨２３が拡開すると共に、該外骨２３の基端が中骨２２の基端に近接する。
【００２６】
そして、さらに下ろくろ４を上ろくろ３に向けて移動させた拡開の終期段階においては、枢支手段３０の枢軸３１が軸孔３２の案内部４０の外骨先端側の端部に当接し、図４及び図５に示す如く、中骨２２と外骨２３が略直線状となる。
ここで、軸孔３２は、図６に示す如く、外骨２３の外骨材２３ａの軸心方向に平行で且つ前記連結端３９を通過する直線状に形成されているため、中骨２２と外骨２３とが略直線状となった拡開の終期段階においては、図５に実線で示す如く、牽引部材２６による外骨２３の基端及び軸孔３２の牽引方向が中骨２２の長手方向に沿いつつ該中骨２２の基端方向を向くこととなる。即ち、外骨２３の基端が牽引部材２６によって中骨２２の基端に向けて牽引されることとなる。
【００２７】
また、該牽引部材２６の牽引力は、枢支手段３０にて軸孔３２の案内部４０の外骨先端側の端部が枢軸３１を押圧する押圧力として作用することとなり、該押圧力は、枢軸３１を介して中骨２２の先端を該中骨２２の基端に向けて圧縮する圧縮力として作用することとなる。このとき、上述の如く前記牽引力が連結端３９から中骨２２の基端に向けて作用しているため、該圧縮力も枢軸３１と軸孔３２の案内部４０の当接位置から中骨２２の基端に向けて作用することとなる。
したがって、牽引部材２６による外骨２３の基端を牽引する牽引力が中骨２２を圧縮する圧縮力として該中骨２２に作用することとなり、しかも、該圧縮力が中骨２２の両端を結ぶ直線に一致若しくは略一致するため、該牽引力が中骨２２を圧縮させる圧縮力として有効に機能するのである。
【００２８】
そして、この状態からさらに下ろくろ４を上ろくろ３に向けて移動させて、図１及び図５に示す如く、骨組み５を拡開完了状態に設定する。なお、該拡開完了状態にて下ろくろ４は前記ハジキ１２に係止される。
該拡開完了状態においては、前記拡開の終期段階よりも中骨２２と連結杆２５との開き角度がさらに大きなものとなるため、牽引部材２６には前記終期段階よりもより大きな牽引力が付与され、これによって外骨２３の基端はさらに大きな牽引力によって中骨２２の基端に向けて牽引される。このとき、外骨２３の基端に配備された関節具２３ｂが中骨２２の先端に配備された外枢支部の連結部３６に当接するため、外骨２３はこれ以上の拡開方向への回転移動は規制される。これによって、外骨２３は、大きな牽引力に牽引された状態でその姿勢を維持されることとなり、突風等の外力の作用によってその姿勢が容易に変更されることはない。
【００２９】
そして、中骨２２には、前記牽引力によって、前記圧縮力が前記終期段階よりもより大きく作用することとなり、これによって、中骨２２が牽引部材２６から離間する方向に反り上がることとなるのである。
また、このとき、図６及び図７に示す如く、牽引部材２６の前記一方の端部側は中骨２２の枢支部材２２ｃの係止溝３７に係止されることとなるため、拡開完了状態にて牽引部材２６の一方の端部が枢軸３１や外骨２３の基端に対してずれることはなく、前記牽引力が有効に外骨２３に作用することとなる。
【００３０】
また、牽引部材２６が係止溝３７に沿って枢支部材２２ｃに対して摺動することとなり、牽引部材２６の摺接によって枢支部材２２ｃの係止溝３７以外の部位が損傷を受けることはない。
上記本実施の形態の折畳み傘１によれば、牽引部材２６によって外骨２３の基端に作用する牽引力が枢支手段３０を介して中骨２２に圧縮力として作用する。しかも、牽引部材２６の他方の端部が内骨２１の中途部ではなく連結杆２５の中途部に連結されてるため、拡開完了状態にて牽引部材２６に付与される牽引力は内骨２１に連結された場合よりも大きなものとなり、ひいては前記圧縮力も大きなものとなる。さらに、前記圧縮力は中骨２２の長手方向（軸心方向）に沿って作用する。これらによって、拡開完了状態にて中骨２２が反り上がることとなるのである。この結果、布地６の中心から頂点に向けて作用する張力が大きなものなり、拡開完了状態にて該布地６が皺なく張られるのである。
【００３１】
また、枢支手段３０の軸孔３２は長孔状に形成された案内部４０を備えているため、拡開時に各骨部材を変形させる外力や布地６の張力等は外骨２３の中骨２２に対する相対移動によって吸収されることとなり、これによって、骨組み５による抗力を可及的小さなものとして該骨組み５を拡開することができる。
さらに、軸孔３２が拡開時に枢軸３１を一旦係止する係止部４１を備え、該係止部４１が案内部４０の外骨基端側に形成されているため、枢軸３１が該係止部４１に拡開の初期段階にて係止されることとなり、これによって外骨２３は、拡開の初期段階にて中骨２２に対して相対移動することなく相対回転し、これによって拡開の早期にスムーズに開かれることとなる。
【００３２】
また、枢軸３１が軸孔３２の掛止部４２に位置した状態で骨組み５が閉じ状態に設定されるため、中骨２２と外骨２３とは、互いの骨部材を最も近接させた状態で折り畳まれることとなる。これによって、閉じ状態の各骨組み５の中軸２からの膨出が抑制され、折畳み態の折畳み傘１がよりコンパクトなものとなる。
また、軸孔３２は連結端３９と共に関節具２３ｂに設けられており、これによって連結端３９と軸孔３２とが一体に形成されるため、組立性の向上が図られる。
また、枢軸３１、前記対向部３５、連結部３６及び係止溝３７は枢支部材２２ｃによって一体成型されているため、これによっても組立性の向上が図られる。
【００３３】
以上、本発明の実施の形態を詳述したが、本発明は上記の実施の形態に限定されるものではない。例えば、軸孔３２の係止部４１の位置は、拡開時に枢軸３１を一旦係止することが可能であれば、案内部４０に対して何れの位置に配置されていても良く、例えば、案内部４０の中途部に設けることも可能である。また、前記掛止部４２を設けない構成とすることももちろん可能である。
また、内骨２１、中骨２２及び外骨２３の何れか若しくはすべてを金属板にプレス成型を施すことによって形成することも可能である。同様に、支骨２４及び連結杆２５の何れか一方若しくは両方を樹脂製とすることも可能であり、他の骨部材を枢支する枢支部をインサート成形によって形成することももちろん可能である。
【００３４】
また、骨組み５を構成する部材の長さや他の部材との枢支位置は、傘の大きさに応じて適宜変更可能であり、例えば、外骨２３の長さを中骨２２の長さよりも大きくすることも小さくすることも可能であり、何れによっても、本実施の形態と同様の効果を発揮する。
【図面の簡単な説明】
【００３５】
【図１】本発明の折畳み傘の骨組みを拡開した状態を示す側面図である。
【図２】骨組みを閉じた状態を示す側面図である。
【図３】軸孔の移動過程を示す側面図である。
【図４】骨組みの拡開過程を示す側面図である。
【図５】中骨及びその近傍を示す側面図である。
【図６】枢支手段及びその近傍を示す側面図である。
【図７】枢支手段及びその近傍を示す底面からみた図である。
【図８】枢支部材の縦断面図である。
【図９】枢支部材の横断面図である。
【符号の説明】
【００３６】
１      折畳み傘
２      中軸
３      上ろくろ
４      下ろくろ
５      骨組み
６      布地
２１    内骨
２２    中骨
２２ｃ  枢支部材
２３    外骨
２３ｂ  関節具
２４    支骨
２５    連結杆
２６    牽引部材
３０    枢支手段
３１    枢軸
３２    軸孔
３７    係止溝
３９    連結端
４０    案内部
４１    係止部
４２    掛止部
【図１】
2006239028.tif 000003
【図２】
2006239028.tif 000004
【図３】
2006239028.tif 000005
【図４】
2006239028.tif 000006
【図５】
2006239028.tif 000007
【図６】
2006239028.tif 000008
【図７】
2006239028.tif 000009
【図８】
2006239028.tif 000010
【図９】
2006239028.tif 000011